(57)【要約】【課題】インターネットなどのコンピュータネットワーク上で、学校側と生徒及び父兄・生徒側との間において、双方向で情報の通信を容易かつ低コストで行うことができる学校関連情報提供システムを提供する。【解決手段】本発明の学校関連情報提供システムは、学校関連の情報を登録して提供する学校関連情報提供サーバ１０と、学校関連情報提供サーバ１０に学校関連情報を登録し、登録されている学校関連情報を更新する情報提供者側端末である学校側携帯電話２０Ａ及び学校側ＰＣ２０Ｂと、学校関連情報提供サーバ１０に登録されている学校関連情報を閲覧する情報利用者側端末である父兄・生徒側携帯電話３０Ａ及び父兄・生徒側ＰＣ３０Ｂと、サーバ１０及び各端末２０Ａ，２０Ｂ，３０Ａ，３０Ｂを通信可能に接続するネットワーク４０と、を備えている。【選択図】　図１
2004023212.tif 000002
【特許請求の範囲】
【請求項１】
ネットワーク上で学校関連の情報を提供する学校関連情報提供サーバであって、
当該サーバのユーザ情報を登録して記憶するユーザ情報記憶手段と、
学校関連情報を入力するための入力用データを記憶する情報入力用記憶手段と、
前記情報入力用記憶手段に記憶されている前記入力用データを情報提供者側の端末に提供する学校関連情報登録・更新手段と、
前記学校関連情報登録・更新手段で受け取った情報提供者側の端末からの学校関連情報を記憶する提供情報記憶手段と、
前記提供情報記憶手段に記憶されている前記学校関連情報を情報利用者側の端末に提供する学校関連情報提供手段と、
を備える、
ことを特徴とする学校関連情報提供サーバ。
【請求項２】
前記学校関連情報提供手段は、前記ユーザ情報記憶手段に記憶されている前記ユーザ情報に基づいて、前記提供情報記憶手段に記憶されている前記学校関連情報を前記情報利用者側の端末に提供する、ことを特徴とする請求項１記載の学校関連情報提供サーバ。
【請求項３】
前記学校関連情報登録・更新手段は、前記ユーザ情報記憶手段に記憶されている前記ユーザ情報に基づいて、前記情報入力用記憶手段に記憶されている前記入力用データを前記情報提供者側の端末に提供する、ことを特徴とする請求項１又は２記載の学校関連情報提供システム。
【請求項４】
さらに、
当該サーバのユーザの使用履歴情報を記憶する使用履歴記憶手段と、
前記使用履歴記憶手段に記憶されている前記使用履歴情報に基づいて、ユーザに対する課金情報を生成する課金処理手段と、
を備える、
ことを特徴とする請求項１乃至３記載の学校関連情報提供サーバ。
【請求項５】
前記学校関連情報は、学校生徒の個人情報を含む、ことを特徴とする請求項１乃至４記載の学校関連情報提供サーバ。
【請求項６】
前記学校関連情報は、学校生徒に対する就職情報を含む、ことを特徴とする請求項１乃至５記載の学校関連情報提供サーバ。
【請求項７】
前記学校関連情報は、学校生徒の父兄・生徒に対する連絡情報を含む、ことを特徴とする請求項１乃至６記載の学校関連情報提供サーバ。
【請求項８】
前記学校関連情報は、学校の紹介情報を含む、ことを特徴とする請求項１乃至７記載の学校関連情報提供サーバ。
【請求項９】
前記学校関連情報は、学校の行事日程情報を含む、ことを特徴とする請求項１乃至８記載の学校関連情報提供サーバ。
【請求項１０】
前記学校関連情報は、学校の校内映像情報を含む、ことを特徴とする請求項１乃至９記載の学校関連情報提供サーバ。
【請求項１１】
前記校内映像情報は、音声付動画データ及び／又は静止画データによって提供される、ことを特徴とする請求項１０記載の学校関連情報提供サーバ。
【請求項１２】
ネットワーク上で学校関連の情報を提供する学校関連情報提供システムであって、
学校関連の情報を登録して提供する学校関連情報提供サーバと、
前記学校関連情報提供サーバに学校関連情報を登録し、登録されている学校関連情報を更新する情報提供者側端末と、
前記学校関連情報提供サーバに登録されている前記学校関連情報を閲覧する情報利用者側端末と、
を備え、
前記学校関連情報提供サーバは、前記請求項１乃至１１記載の学校関連情報提供サーバである、
ことを特徴とする学校関連情報提供システム。
【請求項１３】
前記情報提供者側端末は、ＰＣ（Ｐｅｒｓｏｎａｌ　Ｃｏｍｐｕｔｅｒ）である、ことを特徴とする請求項１２記載の学校関連情報提供システム。
【請求項１４】
前記情報提供者側端末は、携帯型通信機器である、ことを特徴とする請求項１２記載の学校関連情報提供システム。
【請求項１５】
前記情報利用者側端末は、ＰＣ（Ｐｅｒｓｏｎａｌ　Ｃｏｍｐｕｔｅｒ）である、ことを特徴とする請求項１２乃至１４記載の学校関連情報提供システム。
【請求項１６】
前記情報利用者側端末は、携帯型通信機器である、ことを特徴とする請求項１２乃至１４記載の学校関連情報提供システム。
【請求項１７】
前記学校関連情報提供サーバは、前記入力用データをＷｅｂページによって提供する、ことを特徴とする請求項１２乃至１６記載の学校関連情報提供システム。
【請求項１８】
前記学校関連情報提供サーバは、前記学校関連情報をＷｅｂページによって提供する、ことを特徴とする請求項１２乃至１７記載の学校関連情報提供システム。
【請求項１９】
ネットワーク上で学校関連の情報を提供する学校関連情報提供方法であって、
（Ａ）学校関連情報提供サーバにユーザ情報を登録し、
（Ｂ）学校関連情報を入力するための入力用データを記憶し、
（Ｃ）記憶されている前記ユーザ情報に基づいて、記憶されている前記入力用データを情報提供者側の端末に提供し、
（Ｄ）前記情報提供者側の端末から学校関連情報を受け取って記憶し、
（Ｅ）記憶されている前記ユーザ情報に基づいて、記憶されている前記学校関連情報を情報利用者側の端末に提供する、
ことを特徴とする学校関連情報提供方法。
【請求項２０】
さらに、
（Ｆ）学校関連情報提供サーバにユーザの使用履歴情報を記憶し、
（Ｇ）記憶されている前記使用履歴情報に基づいて、ユーザに対する課金情報を生成する、
ことを特徴とする請求項１９記載の学校関連情報提供方法。
【請求項２１】
前記学校関連情報は、学校生徒の個人情報を含む、ことを特徴とする請求項１９又は２０記載の学校関連情報提供方法。
【請求項２２】
前記学校関連情報は、学校生徒に対する就職情報を含む、ことを特徴とする請求項１９乃至２１記載の学校関連情報提供方法。
【請求項２３】
前記学校関連情報は、学校生徒の父兄・生徒に対する連絡情報を含む、ことを特徴とする請求項１９乃至２２記載の学校関連情報提供方法。
【請求項２４】
前記学校関連情報は、学校の紹介情報を含む、ことを特徴とする請求項１９乃至２３記載の学校関連情報提供方法。
【請求項２５】
前記学校関連情報は、学校の行事日程情報を含む、ことを特徴とする請求項１９乃至２４記載の学校関連情報提供方法。
【請求項２６】
前記学校関連情報は、学校の校内映像情報を含む、ことを特徴とする請求項１９乃至２５記載の学校関連情報提供方法。
【請求項２７】
前記校内映像情報は、音声付動画データ及び／又は静止画データによって提供される、ことを特徴とする請求項２６記載の学校関連情報提供方法。
【請求項２８】
前記ステップ（Ｃ）は、前記入力用データをＷｅｂページによって提供する、ことを特徴とする請求項１９乃至２７記載の学校関連情報提供方法。
【請求項２９】
前記ステップ（Ｅ）は、前記学校関連情報をＷｅｂページによって提供する、ことを特徴とする請求項１９乃至２８記載の学校関連情報提供方法。
【発明の詳細な説明】
【０００１】
【発明の属する技術分野】
本発明は、インターネットなどのコンピュータネットワーク上で学校関連の情報を提供する学校関連情報提供サーバ、学校関連情報提供システム及び学校関連情報提供方法に関する。特には、学校側と生徒及び父兄・生徒側との間において、双方向で情報の通信を容易かつ低コストで行うことができる学校関連情報提供サーバ、学校関連情報提供システム及び学校関連情報提供方法に関する。
【０００２】
【従来の技術】
従来から、複数のコンピュータを通信回線などによって接続し、データやプログラムなどを複数のコンピュータ同士で蓄積交換したり、データなどを共有するコンピュータ・ネットワーク（以下、単に「ネットワーク」とも言う）が構築されている。
【０００３】
このようなネットワークの方式としては、所定の通信プロトコルなどに準拠すれば、原則として自由にコンピュータの接続ができるオープン型ネットワーク方式と、ネットワークをホスト・コンピュータなどで管理し、接続されるコンピュータなどの端末装置に一定のセキュリティなどの制限を設けて、管理外のコンピュータ・ノードをネットワークに接続させないようにするクローズ型ネットワーク方式がある。
【０００４】
上述のオープン型ネットワーク方式の代表的なものとして、インターネットがある。このインターネットにおいては、通信プロトコルにＴＣＰ（Ｔｒａｎｓｆｅｒ　Ｃｏｎｔｒｏｌ　Ｐｒｏｔｏｃｏｌ）／ＩＰ（Ｉｎｔｅｒｎｅｔ　Ｐｒｏｔｏｃｏｌ）が採用されており、原則としてこの通信プロトコルを遵守したコンピュータであればネットワークに接続することができる。
【０００５】
近年において、インターネットのような自由なネットワーク環境を背景に、ＷＷＷ（Ｗｏｒｌｄ　Ｗｉｄｅ　Ｗｅｂ）などのマルチメディア環境が整備されてきた。特に、最近では、このインターネットを利用して特定のサービスを行うインターネットビジネス（ｅビジネス）といわれるものが多く提案され運営されている。
【０００６】
このインターネットビジネス（ｅビジネス）においては、通信端末として、ＰＣ（Ｐｅｒｓｏｎａｌ　Ｃｏｍｐｕｔｅｒ）の他、近年では、携帯電話などの携帯型通信機器が多く普及している。
【０００７】
【発明が解決しようとする課題】
しかしながら、現在において、未だに学校から家庭へ、及び家庭から学校への連絡事項などは紙を媒体として行われているのが現状である。この様な情報伝達では、伝えることができる情報量や情報の内容に限界がある。
【０００８】
また、同一の学校に同一家庭からの複数の生徒がいる場合、一家庭に同一の情報が生徒の数（子供の数）分伝わることになり、非効率的でコスト的にも無駄が多い。
【０００９】
従って、本発明の目的は、インターネットなどのコンピュータネットワーク上で、学校側と生徒及び父兄・生徒側との間において、双方向で情報の通信を容易かつ低コストで行うことができる学校関連情報提供サーバ、学校関連情報提供システム及び学校関連情報提供方法を提供することである。
【００１０】
【課題を解決するための手段】
上記課題を解決するため、本発明の学校関連情報提供サーバは、ネットワーク上で学校関連の情報を提供する学校関連情報提供サーバであって、当該サーバのユーザ情報を登録して記憶するユーザ情報記憶手段と、学校関連情報を入力するための入力用データを記憶する情報入力用記憶手段と、前記情報入力用記憶手段に記憶されている前記入力用データを情報提供者側の端末に提供する学校関連情報登録・更新手段と、前記学校関連情報登録・更新手段で受け取った情報提供者側の端末からの学校関連情報を記憶する提供情報記憶手段と、前記提供情報記憶手段に記憶されている前記学校関連情報を情報利用者側の端末に提供する学校関連情報提供手段と、を備える、ことを特徴とする。
【００１１】
ここで、前記学校関連情報提供手段は、前記ユーザ情報記憶手段に記憶されている前記ユーザ情報に基づいて、前記提供情報記憶手段に記憶されている前記学校関連情報を前記情報利用者側の端末に提供する。
【００１２】
また、前記学校関連情報登録・更新手段は、前記ユーザ情報記憶手段に記憶されている前記ユーザ情報に基づいて、前記情報入力用記憶手段に記憶されている前記入力用データを前記情報提供者側の端末に提供する。
【００１３】
さらに、当該サーバのユーザの使用履歴情報を記憶する使用履歴記憶手段と、前記使用履歴記憶手段に記憶されている前記使用履歴情報に基づいて、ユーザに対する課金情報を生成する課金処理手段と、を備える。
【００１４】
また、前記学校関連情報は、学校生徒の個人情報、学校生徒に対する就職情報、学校生徒の父兄・生徒に対する連絡情報、学校の紹介情報、学校の行事日程情報、及び／又は学校の校内映像情報を含む、ことができ、前記校内映像情報は、音声付動画データ及び／又は静止画データによって提供される。
【００１５】
また、上記課題を解決するため、本発明の学校関連情報提供システムは、ネットワーク上で学校関連の情報を提供する学校関連情報提供システムであって、学校関連の情報を登録して提供する学校関連情報提供サーバと、前記学校関連情報提供サーバに学校関連情報を登録し、登録されている学校関連情報を更新する情報提供者側端末と、前記学校関連情報提供サーバに登録されている前記学校関連情報を閲覧する情報利用者側端末と、を備え、前記学校関連情報提供サーバは、上述の学校関連情報提供サーバである、ことを特徴とする。
【００１６】
ここで、前記情報提供者側端末は、ＰＣ又は携帯型通信機器である。また、前記情報利用者側端末は、ＰＣ又は携帯型通信機器である。
【００１７】
また、前記学校関連情報提供サーバは、前記入力用データ及び／又は前記学校関連情報をＷｅｂページによって提供する。
【００１８】
また、上記課題を解決するため、本発明の学校関連情報提供方法は、ネットワーク上で学校関連の情報を提供する学校関連情報提供方法であって、（Ａ）学校関連情報提供サーバにユーザ情報を登録し、（Ｂ）学校関連情報を入力するための入力用データを記憶し、（Ｃ）記憶されている前記ユーザ情報に基づいて、記憶されている前記入力用データを情報提供者側の端末に提供し、（Ｄ）前記情報提供者側の端末から学校関連情報を受け取って記憶し、（Ｅ）記憶されている前記ユーザ情報に基づいて、記憶されている前記学校関連情報を情報利用者側の端末に提供する、ことを特徴とする。
【００１９】
さらに、（Ｆ）学校関連情報提供サーバにユーザの使用履歴情報を記憶し、（Ｇ）記憶されている前記使用履歴情報に基づいて、ユーザに対する課金情報を生成する、ことを特徴とする。
【００２０】
ここで、前記学校関連情報は、学校生徒の個人情報、学校生徒に対する就職情報、学校生徒の父兄・生徒に対する連絡情報、学校の紹介情報、学校の行事日程情報、及び／又は学校の校内映像情報を含み、前記校内映像情報は、音声付動画データ及び／又は静止画データによって提供される。
【００２１】
また、前記ステップ（Ｃ）は、前記入力用データをＷｅｂページによって提供し、前記ステップ（Ｅ）は、前記学校関連情報をＷｅｂページによって提供する。
【００２２】
【発明の実施の形態】
以下、図面を参照して本発明の学校関連情報提供サーバ、学校関連情報提供システム及び学校関連情報提供方法の実施の形態を説明する。ここで、本発明の学校関連情報提供サーバ、学校関連情報提供システム及び学校関連情報提供方法においては、インターネットなどのコンピュータネットワークを利用して行うことができる。
【００２３】
図１は、本発明の学校関連情報提供システムの一形態を示す図である。この学校関連情報提供システムは、学校関連の情報を登録して提供する学校関連情報提供サーバ１０（以下、単に「サーバ１０」ともいう）と、学校関連情報提供サーバ１０に学校関連情報を登録し、登録されている学校関連情報を更新する情報提供者側端末である学校側携帯電話２０Ａ及び学校側ＰＣ（Ｐｅｒｓｏｎａｌ　Ｃｏｍｐｕｔｅｒ）２０Ｂと、学校関連情報提供サーバ１０に登録されている学校関連情報を閲覧する情報利用者側端末である父兄・生徒側携帯電話３０Ａ及び父兄・生徒側ＰＣ３０Ｂと、サーバ１０及び各端末２０Ａ，２０Ｂ，３０Ａ，３０Ｂを通信可能に接続するネットワーク４０と、を備えている。
【００２４】
ここで、ネットワーク４０は、インターネットやイントラネットを利用して構築することができる。この場合、インターネットの通信プロトコルに準拠した既存のアプリケーションやシステムを使用することができるので、低コストで本発明の電子銀行システムを実現することができる。このとき、学校関連情報提供サーバ１０は、入力用データや学校関連情報をＷｅｂページによって提供することができる。
【００２５】
また、父兄・生徒側携帯電話３０Ａ及び父兄・生徒側ＰＣ３０Ｂは、家庭から学校への連絡情報の伝達の場合、情報提供者側端末として機能し、逆に、学校側携帯電話２０Ａ及び学校側ＰＣ３０Ｂは、家庭からの連絡情報を受信する情報利用者側端末として機能することもできる。
【００２６】
図２は、図１に示した学校関連情報提供サーバ１０の構成の一例を示す図である。図２において、学校関連情報提供サーバ１０は、当該サーバ１０のユーザ情報を登録して記憶するユーザ情報ＤＢ１８と、学校関連情報を入力するための入力用データを記憶する情報入力用ＤＢ１５と、情報入力用ＤＢ１５に記憶されている入力用データを情報提供者側の端末（例えば、学校側携帯電話２０Ａ及び／又は学校側ＰＣ２０Ｂ）に提供する学校関連情報登録・更新部１４と、学校関連情報登録・更新部１４で受け取った情報提供者側の端末（例えば、学校側携帯電話２０Ａ及び／又は学校側ＰＣ２０Ｂ）からの学校関連情報を記憶する提供情報ＤＢ１３と、提供情報ＤＢ１３に記憶されている学校関連情報を情報利用者側の端末（例えば、父兄・生徒側携帯電話３０Ａ及び／又は父兄・生徒側ＰＣ３０Ｂ）に提供する学校関連情報提供部１２と、当該サーバ１０のユーザの使用履歴情報を記憶する使用履歴ＤＢ１７と、使用履歴ＤＢ１７に記憶されている使用履歴情報に基づいて、ユーザに対する課金情報を生成し、その他授業料やＰＴＡ会費などの入出金処理を行う課金処理部１６と、ＧＰＳ（Ｇｌｏｂａｌ　Ｐｏｓｉｔｉｏｎｏｎｇ　Ｓｙｓｔｅｍ）衛星からのＧＰＳ情報を処理するＧＰＳ情報処理部１９と、を備えている。
【００２７】
ここで、学校関連情報提供部１２は、ユーザ情報ＤＢ１８に記憶されているユーザ情報（ユーザＩＤやパスワード管理）に基づいて、提供情報ＤＢ１３に記憶されている学校関連情報を情報利用者側の端末（例えば、父兄・生徒側携帯電話３０Ａ及び／又は父兄・生徒側ＰＣ３０Ｂ）に提供する。
【００２８】
また、学校関連情報登録・更新部１４は、ユーザ情報ＤＢ１８に記憶されているユーザ情報（ユーザＩＤやパスワード管理）に基づいて、情報入力用ＤＢ１５に記憶されている入力用データを情報提供者側の端末（例えば、学校側携帯電話２０Ａ及び／又は学校側ＰＣ２０Ｂ）に提供する。
【００２９】
また、学校関連情報は、学校生徒の個人情報、学校生徒に対する就職情報、学校生徒の父兄・生徒に対する連絡情報、学校の紹介情報、学校の行事日程情報、及び／又は学校の校内映像情報を含む。ここで、校内映像情報は、音声付動画データ及び／又は静止画データによって提供される。
【００３０】
このほか、ＧＰＳ情報処理部１９のＧＰＳ機能を利用し、非常時に学校側端末２０Ａ，２０Ｂから父兄・生徒側端末３０Ａ，３０Ｂの所在確認を行うことができる。ここで、ＧＰＳ発信機を、生徒や児童の校章やカバンなどに組み込むようにしてもよい。
【００３１】
また、父兄側端末３０Ａ，３０Ｂから授業料などの振込を行うことができ、教科書や参考書などの情報を提供し、これらをネットワーク４０上で購入することもできる。
【００３２】
さらに、動画や静止画の配信により、運動会・文化祭・スポーツ大会（野球やサッカー、ラグビーなど）の模様をリアルタイムで提供することも可能である。また、学校の内部や周辺の様子も詳しく案内することができる。次に、本発明の学校関連情報提供方法について説明する。
【００３３】
図３は、本発明の学校関連情報提供方法を示すフローチャートである。図１〜図３において、先ず、学校関連情報提供サーバ１０にユーザ情報を登録する（ステップ３０１）。
【００３４】
次に、学校関連情報を入力するための入力用データ（入力用Ｗｅｂページ）を記憶する（ステップ３０２）。
【００３５】
情報提供者側の端末からのアクセス要求に応じて、記憶されているユーザ情報（ユーザＩＤやパスワードのチェック）に基づいて（ステップ３０３）、記憶されている入力用データ（入力用Ｗｅｂページ）を情報提供者側の端末に提供する（ステップ３０４）。
【００３６】
そして、情報提供者側の端末から学校関連情報を受け取って記憶する（ステップ３０５）。
【００３７】
次に、情報利用者側の端末からのアクセス要求に応じて、記憶されている前記ユーザ情報（ユーザＩＤやパスワードのチェック）に基づいて（ステップ３０６）、記憶されている学校関連情報を情報利用者側の端末に提供する（ステップ３０７）。ここで、学校関連情報は、Ｗｅｂページのコンテンツとして提供することができる。
【００３８】
さらに、学校関連情報提供サーバ１０にユーザの使用履歴情報を記憶し（ステップ３０８）、記憶されている使用履歴情報に基づいて、ユーザに対する課金情報を生成する（ステップ３０９）。
【００３９】
一方、ステップ３０３、ステップ３０６で、エラーがある場合（ユーザＩＤやパスワードの不一致など）には、エラー処理をして終了する（ステップ３１０）。
【００４０】
ここで、学校関連情報は、上述した情報のすべてを含むことができる。
【００４１】
【発明の効果】
以上述べた通り、本発明の学校関連情報提供サーバ、学校関連情報提供システム及び学校関連情報提供方法によれば、インターネットなどのネットワーク上に接続された端末で、学校と家庭間の情報の通信を行うことにより、インターネットなどのコンピュータネットワーク上で、学校側と生徒及び父兄・生徒側との間において、双方向で情報の通信を容易かつ低コストで行うことができるようになった。
【図面の簡単な説明】
【図１】本発明の学校関連情報提供システムの一例を示す図である。
【図２】本発明の学校関連情報提供サーバの一例を示す図である。
【図３】本発明の学校関連情報提供方法を示すフローチャートである。
【符号の説明】
１０　学校関連情報提供サーバ
１１　通信制御部
１２　学校関連情報提供部
１３　提供情報ＤＢ
１４　学校関連情報登録・更新部
１５　情報入力用ＤＢ
１６　課金処理部
１７　使用履歴ＤＢ
１８　ユーザ情報ＤＢ
１９　ＧＰＳ情報処理部
２０Ａ　学校側携帯電話
２０Ｂ　学校側ＰＣ
３０Ａ　父兄・生徒側携帯電話
３０Ｂ　父兄・生徒側ＰＣ
４０　ネットワーク
【図１】
2004023212.tif 000003
【図２】
2004023212.tif 000004
【図３】
2004023212.tif 000005